(57)【要約】【課題】払出超過による異常にも正確に対処して品質信頼性の向上を図る。【解決手段】払出球検出器１２が払出機構１０から払い出される球を検出して計数信号を主制御装置２と払出制御装置３とに出力し、主制御装置２および払出制御装置３が入賞に対する設定賞球数をカウントダウンすると、払出制御装置３ではカウントダウンした数値が「０」になった場合に払出機構１０を停止制御する一方、主制御装置２の監視手段１３はカウントダウンした数値が「０」の場合は払出正常と判定して出力せず、カウントダウンした数値が「プラス数値」の場合は払出不足異常信号として出力し、カウントダウンした数値が「マイナス数値」場合は払出超過異常信号１４を出力し、この払出超過異常信号１４を受信した払出制御装置３のクリア手段１５がＲＡＭに格納されていた設定払出数を消去し、払出機構１０が残存するデータの球を払い出すという不都合を防止する。【選択図】        図１
2004180742.tif 000002
【特許請求の範囲】
【請求項１】
遊技の結果として遊技媒体を賞品として払い出す遊技機の払出装置において、検出払出数が設定払出数未満である場合は払出不足異常信号を出力するとともに検出払出数が設定払出数を超えた場合は払出超過異常信号を出力する監視手段と、監視手段から出力された払出超過異常信号でＲＡＭをクリア処理するクリア手段とを備えたことを特徴とする遊技機の払出装置。
【請求項２】
監視手段が遊技全般の制御を担う主制御装置に設けられ、クリア手段が賞品払出の制御を担う払出制御装置に設けられたことを特徴とする請求項１記載の遊技機の払出装置。
【発明の詳細な説明】
【０００１】
【発明の属する技術分野】
本発明はパチンコ機やスロットマシンなどのような遊技の結果として遊技媒体を賞品として払い出す遊技機の払出装置に関する。
【０００２】
【従来の技術】
図２は従来のパチンコ機の払出装置を示す。この払出装置は入賞球検出器９が入賞部品８に入賞した球を検出して入賞信号を主制御装置２に出力すると、主制御装置２が払い出すべき設定払出数を含む払出開始コマンドを払出制御装置３に出力し、払出制御装置３が払出開始コマンドで払出機構１０を払出制御する一方、払出機構１０の払出球検出器１２が払出機構１０から払い出される球を検出して計数信号を主制御装置２と払出制御装置３とに出力すると、主制御装置２および払出制御装置３が検出払出数をカウントアップする。そして、払出制御装置３ではカウントアップした検出払出数が前記払出制御装置３から入力された払出開始コマンドに含まれる設定払出数と一致する場合に、払出機構１０を停止制御する。また、主制御装置２ではカウントアップした検出払出数が前記払出制御装置３に出力した払出開始コマンドに含まれる設定払出数と一致するか否かを監視し、検出払出数と設定払出数とが不一致の場合、払出停止コマンドを払出制御装置３に出力する。この払出停止コマンドを受信した払出制御装置３は払出機構１０を停止制御するとともにパチンコ機の異常表示灯を点灯制御する（例えば、特許文献１参照）。
【０００３】
【特許文献１】
特開２０００−１０７４０１号公報（第３頁、段落番号００１０、００２９、図１）
【０００４】
【発明が解決しようとする課題】
しかしながら、検出払出数と設定払出数との不一致について検討したところ検出払出数が設定払出数未満である払出不足と検出払出数が設定払出数を超えた払出超過とが存在することが判明した。
【０００５】
払出不足の原因としては、例えば、払出制御装置３が払出開始コマンドを正常に受信し、払出機構１０が設定払出数だけ正常に払い出し、払出球検出器１２も設定払出数の計数信号を出力したにもかかわらず、遊技中の振動で払出球検出器１２と主制御装置２とを接続する配線系統に接続不良が発生し、それで、計数信号が払出球検出器１２から主制御装置２に正常の数だけ送信されず、主制御装置２は検出払出数と設定払出数との不一致を検出する。この場合、主制御装置２では計数信号の入力で設定払出数をカウントダウン（減算）することで、カウントダウンした数値がプラスの数値で残存し、払出不足を検出することはでき、払出制御装置３のＲＡＭには設定払出数に対する払出残数が「０」である。
【０００６】
また、例えば、払出制御装置３が払出開始コマンドを正常に受信したが、払出機構１０が異物混入のような原因で設定払出数未満だけの球しか払い出すことができず、そのため、検出払出数が設定払出数未満の計数信号だけしか主制御装置２に送信することしかできず、主制御装置２が検出払出数と設定払出数との不一致を検出する。この場合には、上記と同様に、主制御装置２では検出信号の入力で設定払出数をカウントダウンすることでカウントダウンした数値がプラスの数値で残存し、払出不足を検出することができ、払出制御装置３のＲＡＭには設定払出数に対する払出残数が有る。前記のような状況で発生する払出不足の場合には、異常停止した後に、異常解除スイッチ１６が押されることで、払出制御装置３が正常な動作状態に復帰し、払出制御装置３のＲＡＭに残存する不足分（設定払出数と払出の終了した設定払出数未満との差）で払出機構１０を払出制御するだけである。
【０００７】
これに対し、払出超過の原因としては、例えば、払出制御装置３が払出開始コマンドを正常に受信し、払出機構１０が払出動作し、払出球検出器１２も設定払出数の計数信号を出力したにもかかわらず、遊技中の振動で払出球検出器１２と払出制御装置３とを接続する配線系統に接続不良が発生し、それで、計数信号が払出球検出器１２から払出制御装置３に送信されず、払出機構１０の駆動が停止せず、主制御装置２は検出払出数と設定払出数との不一致を検出する。この場合には、主制御装置２では計数信号の入力で設定払出数をカウントダウンすることで、カウントダウンした数値がマイナスの数値で残存し、払出超過を検出することができるけれども、払出制御装置３のＲＡＭには設定払出数が残存する。この払出超過の場合は、主制御装置２が検出払出数と設定払出数との不一致を検出する時間を短くして、設定払出数を越えて払い出される球数を最小としても、払出制御装置３のＲＡＭに設定払出数が残存しているので、異常停止後に、異常解除スイッチ１６が押されることで、払出制御装置３が再び設定払出数を払い出す動作を開始することから、品質信頼性が低下するという問題点がある。
【０００８】
そこで、本発明は払出超過による異常にも正確に対処することで、品質信頼性の高い遊技機を提供するものである。
【０００９】
【課題を解決するための手段】
本発明にあっては、遊技の結果として遊技媒体を賞品として払い出す遊技機の払出装置において、検出払出数が設定払出数未満である場合は払出不足異常信号を出力するとともに検出払出数が設定払出数を超えた場合は払出超過異常信号を出力する監視手段と、監視手段から出力された払出超過異常信号でＲＡＭをクリア処理するクリア手段とを備えたことによって、払出超過の場合において、パチンコ機に設けられた異常解除スイッチ１６が押されても、ＲＡＭに残存する球払出に関するデータの球を払い出すという不都合を解消し、遊技機の品質信頼性を向上することができる。また、本発明にあっては、監視手段が遊技全般の制御を担う主制御装置に設けられ、クリア手段が賞品払出の制御を担う払出制御装置に設けられれば、監視とクリアとの機能分担を明確にすることができる。
【００１０】
【発明の実施の形態】
図１は一実施形態に係るパチンコ機１の払出装置を模式的に示す。図１において、パチンコ機１は裏側における遊技全般の制御を担う主制御装置２や賞品払出の制御を担う払出制御装置３が電力供給で起動し、パチンコ機１の前側における受皿４に球が入れられた状態において、パチンコ機１の前側におけるハンドルグリップと呼ばれるような球発射操作機構５が遊技者により操作されると、その操作量に応じてパチンコ機１の内部における球発射機構６が受皿４から供給された球を１個ずつパチンコ機１の内部における遊技主体である遊技盤７の遊技領域に向けて発射する。
【００１１】
遊技盤７の遊技領域から球が当該遊技領域に配置された複数の入賞部品８のいずれかに入賞し、その入賞した球を検出した入賞球検出器９が入賞信号を主制御装置２に出力する。主制御装置２は入力信号が主制御装置２のマイクロコンピュータに入力された入力ポートの位置の違いで、どの入賞部品８に対応する入賞球検出器９からの入賞信号であるかを識別し、払い出すべき設定払出数を含む払出開始コマンドを払出制御装置３に出力する。払出制御装置３のマイクロコンピュータは主制御装置２から入力された払出開始コマンドで払出機構１０のアクチュエータ１１を払出制御する。これによって、アクチュエータ１１に連結された払出部材が払出駆動して、払出機構１０が遊技の結果入賞に対する遊技の結果たる換金性の有る賞球として球を受皿４に払い出す。
【００１２】
払出球検出器１２が払出機構１０から払い出される球を検出して計数信号を主制御装置２と払出制御装置３とに出力する。主制御装置２のマイクロコンピュータおよび払出制御装置３のマイクロコンピュータは計数信号を入力すると検出払出数で上記入賞に対応する設定払出数をカウントダウンする。そして、払出制御装置３ではカウントダウンした数値が「０」になれば、払出機構１０のアクチュエータ１１を停止制御する。これによって、アクチュエータ１１に連結された払出部材が停止駆動して、払出機構１０が賞球として球の受皿４への払い出しを停止する。
【００１３】
主制御装置２では監視手段１３がカウントダウンした数値が「０」となるか、「マイナスの数値」になるか、「プラスの数値」になるかを監視する。この監視の結果、カウントダウンした数値が「０」の場合は払出正常と判定して出力はしない。カウントダウンした数値が「プラスの数値」になった場合は主制御装置２が払出不足と判定して払出不足異常報知のための信号として払出不足異常信号を出力し、カウントダウンした数値が「マイナスの数値」の場合は払出超過と判定し、払出停止コマンドとしての払出超過異常信号１４を出力する。この主制御装置２から出力された払出不足異常信号は遊技機に設けられた図外の異常を知らせる表示器や報知器を動作するために使用される。
【００１４】
主制御装置２のマイクロコンピュータは図外の電源装置から供給される定電圧の直流電源で起動し、入賞球検出器９から入賞信号を入力インターフェースから入力すると、マイクロコンピュータがＲＯＭに格納されたプログラムにしたがいＲＡＭを用いて遊技全般の処理を実行する。主制御装置２は払出開始や払出停止などのコマンドを払出制御装置３に出力する。また、主制御装置２のマイクロコンピュータは入力インターフェースから入力した入賞信号が電動チューリップや可変入賞装置やキャラクタなどのような電動役物に対応する場合は当該電動役物の図外のアクチュエータを制御する加工処理および出力処理を実行する。この主制御装置２のプログラムはマイクロコンピュータに内蔵されたハードで構成された割り込み処理（内部割り込み処理）用のタイマーが例えば４ｍｓｅｃ周期で出力する割込信号で周期的に起動する。
【００１５】
払出制御装置３のマイクロコンピュータは電源装置から供給される定電圧の直流電源で起動し、払出開始コマンドを入力インターフェースから入力すると、マイクロコンピュータがＲＯＭに格納されたプログラムにしたがいＲＡＭを用いて球払出開始の処理を実行して払出機構１０のアクチュエータ１１を払出制御する加工処理および出力処理を実行する。そして、払出機構１０が球を払い出すのに伴い、払出機構１０の払い出される球を検出した払出球検出器１２が計数信号を払出制御装置３に図外の配線を通して出力する。
【００１６】
払出制御装置３のマイクロコンピュータは計数信号を入力インターフェースから入力すると、マイクロコンピュータが検出払出数の処理を実行する。具体的には前述のカウントダウンした数値が「０」になると、払出制御装置３のマイクロコンピュータは球払出停止の処理を実行して払出機構１０のアクチュエータ１１を停止制御する加工処理および出力処理を実行する。この払出制御装置３のプログラムはマイクロコンピュータに内蔵されたハードで構成された割り込み処理用のタイマーが例えば２ｍｓｅｃ周期で出力する割込信号で周期的に起動する。
【００１７】
とりわけ、主制御装置２の監視手段１３が払出超過判定で払出超過異常信号１４を払出制御装置３に出力する。この払出超過異常信号１４を受信した払出制御装置３ではクリア手段１５がマイクロコンピュータのＲＡＭをクリア処理してＲＡＭに残存する賞品払い出しに関するデータである設定払出数を消去する。このクリア処理はプログラムに払出超過異常信号１４の検出でマイクロコンピュータにＲＡＭクリア動作を実行させる初期化コマンドをソフト的に発生するか、または、払出超過異常信号１４の検出でマイクロコンピュータにＲＡＭクリア動作を実行させるリセット信号をハード的に発生する。これによって、検出払出数が設定払出数を超える払出超過の場合において、パチンコ機１に設けられた異常解除スイッチ１６が押され、払出制御装置３が正常な動作状態に復帰し、払出制御装置３のＲＡＭに残存する球払出に関するデータで払出機構１０を払出制御することはなく、払出機構１０が残存するデータの球を払い出すという不都合を解消し、遊技機の品質信頼性を向上することができる。また、監視手段１３が主制御装置２に設けられ、クリア手段１５が払出制御装置３に設けられているので、監視とクリアとの機能分担が明確となり、遊技機の品質信頼性を向上することができる。
【００１８】
実施形態では入賞ごとに設定賞球数を払い出す形態を例として説明したが、主制御装置２のマイクロコンピュータは入賞信号の入力ごとに入賞に対応する設定賞球数を自分自身でもカウントアップしてＲＡＭに積算するとともに当該設定賞球数を含む払出開始コマンドを払出制御装置３に出力し、払出制御装置３のマイクロコンピュータは主制御装置２からの払出開始コマンドの入力ごとに自分自身でもカウントアップしてＲＡＭに積算するとともに払出機構１０のアクチュエータ１１を払出駆動し、この払出機構１０の払出駆動に伴い払出球検出器１２が計数信号を主制御装置２および払出制御装置３に出力することで、主制御装置２のマイクロコンピュータおよび払出制御装置３のマイクロコンピュータが計数信号の入力に伴いＲＡＭの積算値を減算する、所謂、メモリ払出方式であっても同様に適用することはできる。また、主制御装置２および払出制御装置３は別体でなく同体であってよい。パチンコ機以外の球またはメダルを遊技媒体として用いるスロットマシンでも同様に適用することができる。
【図面の簡単な説明】
【図１】一実施形態のパチンコ機の払出装置を示す模式図。
【図２】従来例のパチンコ機の払出装置を示す模式図。
【符号の説明】
１  パチンコ機、２  主制御装置、３  払出制御装置、９  入賞球検出器、
１０  払出機構、１２  払出球検出器、１３  監視手段、
１４  払出超過異常信号、１５  クリア手段。
【図１】
2004180742.tif 000003
【図２】
2004180742.tif 000004